(57)【要約】【課題】  寝具類やカーペットまたは衣類のような掃除対象物の組織内に入り込んだダストを払って真空吸着できるようにした真空掃除機の着脱型塵払い機能付き吸込ヘッドを提供する。  【解決手段】本発明は、真空掃除機の吸気管の先端に着脱自在に結合され、あるいは前記吸気管と一体結合され、真空吸込によって寝具類を含む掃除対象物を掃除する吸込ヘッドにおいて、下ケースおよび前記下ケースを覆う上ケースと、掃除するために前記掃除対象物の表面を叩く回転力を形成する電動モータと、前記電動モータの回転と連動し、その外周面に少なくとも１つのビート爪が形成された回転ドラムと、前記回転ドラムの回転に伴って先端に弾性力が蓄積されるフロントチップを有する前記掃除対象物を弾性力でビートするための複数のビートロッド  またはビートメンバーを備えるビートモジュールと、を含むことを特徴とする。  【選択図】図５
2010527684.tif 000002
【特許請求の範囲】
【請求項１】
真空掃除機の吸気管の先端に着脱自在に結合され、あるいは前記吸気管と一体結合され、真空吸込によって寝具類を含む掃除対象物を掃除する吸込ヘッドにおいて、  
下ケースおよび前記下ケースを覆う上ケースと、  
掃除するために前記掃除対象物の表面を叩く回転力を形成する電動モータと、
前記電動モータの回転と連動し、その外周面に少なくとも１つのビート爪が形成された回転ドラムと、
前記回転ドラムの回転に伴って先端に弾性力が蓄積されるフロントチップを有する前記掃除対象物を弾性力でビートするための複数のビートロッド  またはビートメンバーを備えるビートモジュールと、
を含むことを特徴とする塵払い機能付き吸込ヘッド。  
【請求項２】
前記下ケースの底部には前記ビートロッドが前記掃除対象物を打撃すると共に、真空吸込するための多数の吸気具が形成されることを特徴とする請求項１に記載の塵払い機能付き吸込ヘッド。  
【請求項３】
前記ビートロッドは個別に先端が持ち上げられる構造と、複数の先端が一体に形成されて持ち上げられる構造、及び全体の先端が一体形成されて持ち上げられる構造のうちいずれか一つの形態であり、  
前記ビートロッドには弾力補強折曲部が形成され、  
前記個別ビートロッドの先端は球状をなすことを特徴とする請求項１に記載の塵払い機能付き吸込ヘッド。  
【請求項４】
前記回転ドラムのビート爪は、その回転ドラムの外周面で同じ位置に形成された単一構造形態と、相互不連続的であり、他の位置に形成された複数構造の形態の中から選ばれることを特徴とする請求項１に記載の塵払い機能付き吸込ヘッド。  
【請求項５】
前記回転ドラムには前記電動モータの正逆転によって連動して前記掃除対象物を弾性的に打撃するためのビートロッドが両側に一体形成されることを特徴とする請求項１に記載の塵払い機能付き吸込ヘッド。  
【請求項６】
前記ヘッドには殺菌ランプが着脱式と一体式のうちいずれか一つの形態で設けられることを特徴とする請求項１に記載の塵払い機能付き吸込ヘッド。  
【請求項７】
真空掃除機の吸気管の先端に着脱自在に結合、または一体結合されて真空吸込によって寝具類を含む掃除対象物を掃除する吸込ヘッドにおいて、  
相互分離的に結合される上ケース及び下ケースと、  
前記下ケースの両側壁に回動自在に結合されながら前記下ケースの底部に形成された吸気打撃長溝を通じて前記掃除対象物を叩打するビートロッド本体と、  
前記ビートロッド本体に弾性力を形成するための動力を提供する電動モータと、  
前記電動モータの軸に結合され、外面に前記ビートロッド本体の先端を持ち上げて弾性が蓄積されるようにする回転ドラムと、  
前記下ケースの両側壁の上側に設けられるカバーと、  
前記カバーの底面の所定位置と前記ビートロッド本体の後方の上面との間に介在して前記ビートロッド本体を弾持する弾性バネと、
を含むことを特徴とする塵払い機能付き吸込ヘッド。  
【請求項８】
前記下ケースの所定位置には前記ビートロッド本体の昇降作用を支えるために一定長さで複数のビートロッド昇降案内ロッドが一定間隔を隔てて形成され、  
前記ビートロッド本体の後方の所定位置には前記下ケースの前記  ビートロッド昇降案内ロッドに対応する複数の案内ロッド装着具が形成されることを特徴とする請求項７に記載の塵払い機能付き吸込ヘッド。  
【請求項９】
前記ビートロッド本体は個別に先端が持ち上げられる構造と、複数の先端が一体形成されて持ち上げられる構造、及び全体の先端が一体形成されて持ち上げられる構造のうちいずれか一つの形態であることを特徴とする請求項７に記載の塵払い機能付き吸込ヘッド。  
【請求項１０】
前記回転ドラムには前記電動モータの正逆転によって連動して前記掃除対象物を弾性的に打撃するためのビートロッドが両側に一体形成されることを特徴とする請求項７に記載の塵払い機能付き吸込ヘッド。  
【請求項１１】
該当ヘッドには殺菌ランプが着脱式と一体式のうちいずれか一つの形態で設けられることを特徴とする請求項７に記載の塵払い機能付き吸込ヘッド。  
【発明の詳細な説明】
【技術分野】
【０００１】
本発明は塵払い機能付き吸込ヘッドに係り、さらに詳しくは、ベッドのマットレス、布団、カーペット、衣類などの掃除対象物に弾性的な叩打力を加えて、その掃除対象物に入り込んだダスト、及び／または汚れ、ダニのような細菌などを払いのける機能を備えた塵払い機能付き吸込ヘッドに関する。  
【背景技術】
【０００２】
従来、住居空間やオフィスまたは多重利用施設の定まった空間の床から真空吸込力で埃や汚れ（すなわち、ごみ）を吸い込んで掃除する真空掃除機が幅広く普及して掃除作業が便利になっている。  
そのような真空掃除機は、床や、例えば窓の隙間から埃または汚れを吸い込んで掃除する作用はかなりの効果を奏する一方、ベッドのマットレスや布団のような寝具類やカーペットまたは衣類から埃や汚れを吸い込んで掃除する作用は満足できなかったことが事実である。  
ベッドのマットレスや布団などのような寝具類やカーペットまたは衣類などの場合は埃が織造された繊維組織内に入り込みやすく、その状態で真空吸込力だけでその繊維組織内に入り込んだ埃を吸着除去し難い。  
【０００３】
さらに、犬や猫のような愛玩動物を室内で飼育する家庭の場合はその愛玩動物から取れた毛やふけのような汚れが寝具類やカーペットまたは衣類の繊維組織内に入り込む場合も頻繁に発生する。そのような愛玩動物の毛やふけのような汚れが完全に取り除かれない寝具類やカーペットを使用したり、衣類を着るとアトピー性皮膚炎のような皮膚疾患や鼻炎などの呼吸器疾患を引き起こす原因となるが、そのような愛玩動物の毛やふけのような汚れが織造された繊維組織内に入り込んだ場合は真空掃除機の真空吸込力だけで吸着除去するにはかなり難しい状況である。  
【０００４】
また、特にベッドのマットレスの場合はその繊維組織内にダニが繁殖して人体に皮膚疾患や呼吸器疾患を誘発するところ、そのダニの場合も真空吸込力だけでは吸着し難い。
そして、大気中で黄砂や車両の排気ガスによって微細埃の濃度が高い状態では外出時に衣類の繊維組織内に微細埃が吸着し易いが、その微細埃や例えば喫煙による匂いは真空吸込力だけによって十分に除去されない。  
この点を考慮して、最近は寝具類やカーペットなどの掃除対象物から埃や汚れを吸着するために吸込ヘッドの内部に電子式ソレノイドまたは電磁石を設けて、そのソレノイドまたは電磁石の振動によって寝具類またはカーペットを掃除する構造が提案されている。  
【０００５】
しかし、ソレノイドによって上下方向の振動力を発生させて寝具類やカーペットなどの掃除対象物を掃除する場合はその掃除対象物の繊維組織内に入り込んだ埃や汚れに振動力を伝達して真空吸着するので、ただの真空吸着の場合に比べて多少有利である。しかし、ソレノイドの上下振動は実際掃除対象物を叩いて塵払いする形態というよりは、その表面を反復的に押える形で接触するので、その掃除対象物の繊維組織内に入り込んだ埃や汚れ、匂い及び／またはダニなどを十分に拭き取って吸着できなくなる。  
【先行技術文献】
【特許文献】
【０００６】
【特許文献１】特開平０９−１８２７０４公報
【発明の概要】
【発明が解決しようとする課題】
【０００７】
従って、本発明は前述した事情に鑑みてなされたもので、その目的は、電動モータの回転によって回転する回転ドラムによりビートロッドの先端が付勢して寝具類（例えば、ベッドのマットレス、布団など）やカーペットまたは衣類のような掃除対象物を弾性的に打撃してその組織内に入り込んだダスト（及び／または汚れ、匂い、ダニなどの細菌）を払って真空吸着できるようにした真空掃除機の着脱型塵払い機能付き吸込ヘッドを提供することである。  
【課題を解決するための手段】
【０００８】
前述した目的を達成するため、本発明は、真空掃除機の吸気管の先端に着脱自在に結合され、あるいは前記吸気管と一体結合され、真空吸込によって寝具類を含む掃除対象物を掃除する吸込ヘッドにおいて、下ケースおよび前記下ケースを覆う上ケースと、掃除するために前記掃除対象物の表面を叩く回転力を形成する電動モータと、前記電動モータの回転と連動し、その外周面に少なくとも１つのビート爪が形成された回転ドラムと、前記回転ドラムの回転に伴って先端に弾性力が蓄積されるフロントチップを有する前記掃除対象物を弾性力でビートするための複数のビートロッド  またはビートメンバーを備えるビートモジュールと、
を含むことを特徴とする。  
【０００９】
前記下ケースの底部には前記ビートロッドが前記掃除対象物を打撃すると共に、真空吸込するための多数の吸気具が形成されることを特徴とする。  
【００１０】
前記ビートロッドは個別に先端が持ち上げられる構造と、複数の先端が一体に形成されて持ち上げられる構造、及び全体の先端が一体形成されて持ち上げられる構造のうちいずれか一つの形態であり、前記ビートロッドには弾力補強折曲部が形成され、前記個別ビートロッドの先端は球状をなすことを特徴とする。  
【００１１】
前記回転ドラムのビート爪は、その回転ドラムの外周面で同じ位置に形成された単一構造形態と、相互不連続的であり、他の位置に形成された複数構造の形態の中から選ばれることを特徴とする。  
【００１２】
前記回転ドラムには前記電動モータの正逆転によって連動して前記掃除対象物を弾性的に打撃するためのビートロッドが両側に一体形成されることを特徴とする。  
【００１３】
前記ヘッドには殺菌ランプが着脱式と一体式のうちいずれか一つの形態で設けられることを特徴とする。  
【００１４】
また、本発明は、真空掃除機の吸気管の先端に着脱自在に結合、または一体結合されて真空吸込によって寝具類を含む掃除対象物を掃除する吸込ヘッドにおいて、相互分離的に結合される上ケース及び下ケースと、前記下ケースの両側壁に回動自在に結合されながら前記下ケースの底部に形成された吸気打撃長溝を通じて前記掃除対象物を叩打するビートロッド本体と、前記ビートロッド本体に弾性力を形成するための動力を提供する電動モータと、前記電動モータの軸に結合され、外面に前記ビートロッド本体の先端を持ち上げて弾性が蓄積されるようにする回転ドラムと、前記下ケースの両側壁の上側に設けられるカバーと、前記カバーの底面の所定位置と前記ビートロッド本体の後方の上面との間に介在して前記ビートロッド本体を弾持する弾性バネと、を含むことを特徴とする。  
【００１５】
前記下ケースの所定位置には前記ビートロッド本体の昇降作用を支えるために一定長さで複数のビートロッド昇降案内ロッドが一定間隔を隔てて形成され、  
前記ビートロッド本体の後方の所定位置には前記下ケースの前記  ビートロッド昇降案内ロッドに対応する複数の案内ロッド装着具が形成されることを特徴とする。  
【００１６】
前記ビートロッド本体は個別に先端が持ち上げられる構造と、複数の先端が一体形成されて持ち上げられる構造、及び全体の先端が一体形成されて持ち上げられる構造のうちいずれか一つの形態であることを特徴とする。  
【発明の効果】
【００１７】
本発明に係る塵払い機能付き吸込ヘッドによれば、電動モータに連動する回転ドラムのビート爪に対してその回転ドラムの回転に伴ってビートロッドの先端がロック／アンロックされる作用が反復しつつ、そのビートロッドが例えば寝具類やカーペット及び／または衣類のような掃除対象物を弾性的に打撃して、その掃除対象物に深く入り込んだ埃や異物を払って吸入して掃除可能になることから、単純な真空吸込掃除とソレノイドまたは電磁石の振動による方式に比べて、寝具類やカーペット及び／または衣類に対する埃（及び／または汚れ、ダニなど）の掃除効果が遥かに良好になる。  
【図面の簡単な説明】
【００１８】
【図１】本発明の望ましい実施形態にかかる真空掃除機の着脱型塵払い機能付き吸込ヘッドの外観構造を説明するための図である。
【図２】図１に示す本発明に係る真空掃除機の着脱型塵払い機能付き吸込ヘッドの内部構造を説明するための図である。
【図３】図２に示す真空掃除機の着脱型塵払い機能付き吸込ヘッドに構成される輪の一例を示した図面である。
【図４】図２に示す真空掃除機の着脱型塵払い機能付き吸込ヘッドに構成される輪の一例を示した図面である。
【図５】図２に示す真空掃除機の着脱型塵払い機能付き吸込ヘッドの要部を説明する図面である。
【図６】本発明に係る真空掃除機の着脱型塵払い機能の吸込ヘッドにおいて塵払い作用を説明するための図面である。
【図７】本発明に係る真空掃除機の着脱型塵払い機能の吸込ヘッドにおいて塵払い作用を説明するための図面である。
【図８】本発明に係る真空掃除機の着脱型塵払い機能の吸込ヘッドにおいて塵払い作用を説明するための図面である。
【図９】本発明に係る塵払い機能付き吸込ヘッドの他の例を示した図である。
【図１０】本発明に係る真空掃除機の着脱型塵払い機能付き吸込ヘッドのさらに他の例を示した図面である。
【図１１】本発明に係る塵払い機能付き機能付き吸入ヘッドにおいてビートロッド本体の他の例を示した図面である。
【図１２】本発明に係る塵払い機能付き吸込ヘッドに設けられた前記ビートモジュールの他の例を示した図面である。
【図１３】本発明の望ましい他の実施形態に係る塵払い機能付き吸入ヘッドの要部構造を説明するための図面である。
【図１４】本発明の実施形態にかかる塵払い機能付き吸込ヘッドが着脱式で設置可能な真空掃除機の形態を示した図面である。
【図１５】本発明の実施形態にかかる塵払い機能付き吸込ヘッドが着脱式で設置可能な真空掃除機の形態を示した図面である。
【発明を実施するための形態】
【００１９】
以下、添付した図面に基づき本発明の望ましい実施形態について詳述する。
図１は本発明の望ましい一実施形態による塵払い機能付き吸込ヘッドの外観構造を説明するための図である。  
図面において、塵払い機能付き吸込ヘッド１０の筐体１２には通常の真空掃除機に着脱される連結管１４が具備され、その筐体１２の表面には電源オン／オフと塵払い機能の強／中／弱を設定するためのスイッチ素子１６と、そのスイッチ素子１６によって電源オン機能が設定される場合を視覚的に表すための、例えば発光表示素子（すなわち、ＬＥＤ素子）による電源オン表示素子１６ａが設けられると共に、専用のＡＣ／ＤＣ変換器（すなわち、電源アダプタ）２０の電源プラグ２２のプラグ端子２２ａが着脱されるプラグ接続ジャッキ１８も具備される。
ここで、スイッチ素子１６は電源オン／オフスイッチ素子と、掃除対象物の塵払い機能の強／中／弱を設定するための強度設定スイッチ素子を別途に構成してもよい。  
また、電源アダプタ２０は別途に構成せず、筐体１２の内部に構成してもよい。
【００２０】
図２は図１に示した本発明に係る塵払い機能付き吸込ヘッドの内部構造を説明するための図面である。  
同図に示す通り、筐体１２は上ケース１２ａと下ケース１２ｂとから構成され、その上ケース１２ａと下ケース１２ｂは相互着脱自在に結合される。上ケース１２ａの４隅近傍には螺子締結リブ２４ｂが形成され、下ケース１２ｂの上面にも上ケース１２ａの螺子締結リブ２４ｂに対応する位置に螺子２４ａが締結される螺子締結孔２４が形成される。  
下ケース１２ｂにはその前方側と後方の両側には輪露出口２６が形成され、その輪露出口２６に対応して該当吸込ヘッドの前後方への移動のための輪２８が配置される。  
【００２１】
図３及び図４は図２に示した塵払い機能付き吸込ヘッドに構成される輪の一例を示した図である。  
下ケース１２ｂの各輪露出口２６の両側の周辺には輪回動受け具３２が形成され、その輪回動受け具３２の中央は輪２８の両軸２８ａに設けられて該当輪２８の回転を保持する回動軸受３６の下部の半分が安着される軸受安着半球３４が形成され、その軸受安着半球３４の両側には軸受固定ねじ孔３２ａが形成される。
輪回動受け具３２に対応して輪軸受固定具３８が提供され、その輪軸受固定具３８の中央には回動軸受３６の上部半分が収まる軸受保持半球が形成され、その両側には軸受固定ねじ孔３２ａに対応して締結ねじ４０が貫通するねじ締結孔３８ａが形成される。  
【００２２】
本発明によれば、輪２８が輪露出口２６を介して露出されるようにするための構造としては前述したことに限定されず、また輪２８は前記輪露出口２６を介して露出されないようにする代わりに、筐体１２の外側に位置するように設けてもよい。  
図２に示す通り、下ケース１２ｂの概略前方には一定間隔隔てて回転ドラムブラケット４２が形成され、その下ケース１２ｂの概略後方には一定高さのビートロッド固定ブラケット４６が形成され、その回転ドラムブラケット４２とビートロッド固定ブラケット４６との間には後述するビートロッドが掃除対象物（例えば、寝具類、カーペット、衣類など）を弾性的に打撃して払うためのビートロッド長孔５０が形成され、各ビートロッド長孔５０に隣接して掃除対象物から払われた埃や異物を吸い込むための吸込長孔が形成される。
【００２３】
図５は図２に示す塵払い機能付き吸込ヘッドの要部を説明する図面である。  
同図に示す通り、回転ドラムブラケット４２の間には回転ドラム５６の両軸５６ａが対応して設けられる。その回転ドラムブラケット４２の中央には回転ドラム５６の各軸５６ａ、５６ｂに嵌め込まれて回転ドラム５６の円滑な回動を支援するための回転ドラム軸受５４が提供される。  
また、回転ドラム５６の一側端には電動モータ１６の回転に連動するための、例えばベベルギアによる従動ギア５８が設けられ、その回転ドラム５６の外周面には一定角度ごとにビート爪６０が形成される。  
ここで、回転ドラム５６を駆動するための電動モータ１６の位置は図５に示したことに限定されず、回転ドラム２６を駆動するという発明の技術的要旨を達成するためのいずれの位置に設けられてもよく、電動モータ１６と回転ドラム５６は無限ベルトによって連結されるようにしてもよい。  
【００２４】
下ケース１２ｂに形成されたビートロッド固定ブラケット４６にはビートモジュール６２が設けられる。そのビートモジュール６２はビートロッド本体６２ａとそのビートロッド本体６２ａに比べて上向角で形成された先端６２ｂよりなる。  
そして、電動モータ１６はモータ固定ブラケット６６の両側の固定リブ６６ａに形成されたブラケット固定孔に螺着することによって下ケース１２ｂに固定される。そのモータ軸６４ａには回転ドラム５６の軸５６ｂに設けられた従動ギア５８が噛合してその電動モータ１６の回転力を伝達する駆動ギア６９が設けられる。  
従って、本発明の塵払い機能付き吸込ヘッドは下ケース１２ｂに輪２８と電動モータ１６、回転ドラム５６及びビートモジュール６２が設けられた状態で、スイッチ素子１６によって電源オンされると共に、塵払い機能の強／中／弱のうちいずれか一つのレベルが選択されれば、電動モータ１６が設定されたレベルで回転して作動する。
【００２５】
電動モータ１６の回転力はそのモータ軸６４ａに結合された駆動ギア６９を介して従動ギア５８に伝達される。回転ドラム５６が回転すると、その回転ドラム５６の回転によってビートロッド本体６２ａの先端６２ｂが持ち上げられながらビートロッド本体６２ａに弾性力が形成される。先端６２ｂが回転ドラム５６のビート爪６０を外れると、ビートロッド本体６２ａが弾性によって掃除対象物（寝具類、カーペット、衣類など）を打撃してダスト（及び／または汚れ、ダニなど）を払うことにより、該当塵払い機能付き吸込ヘッドが設けられた真空掃除機の本体に設けられた真空吸込モータ（図示せず）に吸い込まれる。  
【００２６】
すなわち、ビートモジュール６２のビートロッド本体６２ａはその先端６２ｂが回転ドラム５６の外周面に形成されたビート爪６０にかからない状態（すなわち、図６参照）において回転ドラム５６が回転すれば、ビートロッド本体６２ａの先端６２ｂが回転ドラム５６のビート爪６０にかかった状態で上昇するようになり（図７参照）、回転ドラム５６のビート爪６０が臨界回転角の範囲を超えて回転すると、ビート爪６０からビートロッド本体６２ａの先端６２ｂが離脱しつつ弾性的に下降して、対応するビートロッド長孔５０を介して掃除対象物を弾性的に打撃して払う（図８参照）。  
従って、ビートロッド本体６２ａの反復的な打撃作用によって寝具類やカーペット、衣類のような掃除対象物に入り込んだダスト（及び／または汚れ、ダニなど）を払って真空吸い込んで掃除可能になる。
【００２７】
図９は本発明に係る真空掃除機の着脱型塵払い機能付き吸込ヘッドの他の例を示した図面である。
すなわち、図５に示す回転ドラム５６の外周面には少なくとも一つまたは相互一定角度を保つ多数のビート爪６０が形成され、よってビートモジュール６２のビートロッド６２ａが同時に掃除対象物を打撃して払う作用が行われるが、図９によれば、回転ドラム５６の外周面には相互一定距離を保ちながら相異なる位置にビート爪６０ａが形成される。そのビート爪６０ａの数はビートモジュール６２のビートロッド６２ａの数に対応する。  
その構成においては、回転ドラム５６の回転時前記相異なる位置に形成されたビート爪６０ａによってビートモジュール６２のビートロッド本体６２ａが相互時差を持って掃除対象物を連続して打撃し払う効果を奏する。
【００２８】
一方、図１０に示す回転ドラムのさらに他の例によれば、回転軸５６ａ、５６ｂを中心にして一側が偏心されるように形成され、その偏心部分がビートロッド本体６２ａの先端６２ｂがかかるビート爪６０ｂとして働くようになる。
また、図５に示す回転ドラム５６の外周面に形成されたビート爪６０の形状と位置は、電動モータ１６の回転に連動してビートロッド本体６２の弾性作用が行われるようにする場合であれば、その回転ドラム５６の外周面に沿って多様に変化するようにしてもよい。
【００２９】
図１１は本発明に係る塵払い機能付き吸込ヘッドにおいてビートロッド本体の他の例を示した図面である。
すなわち、ビートモジュール６２のビートロッド本体６２ａの場合は概略線形で形成しつつその先端６２ｂが上向きに形成されるが、図１１に示されたビートロッド本体６２ａの場合はその所定位置に弾力補強折曲部６２ｃが形成され、一層強化された弾性力で掃除対象物を打撃して払うことができる。  
また、本発明によれば、ビートロッド本体６２ａの先端６２ｄは球状で加工されたり、別に球状の部材が結合されれば、掃除対象物の打撃時その掃除対象物の表面に傷が生じる可能性が除かれる。
【００３０】
図１２は本発明に係る塵払い機能付き吸込ヘッドに設けられる前記ビートモジュールの他の例を示す。  
すなわち、図１２に示すビートロッド本体７０の場合は一定間隔を保つように形成しながら先端が一体に連設した構造で形成され、よって掃除対象物を打撃するための弾性作用が一層強く行われる。  
ここで、上記ではビートモジュール６２が電動モータ１６に連動する回転ドラム５６の連続的な回転によって形成される弾性力によって掃除対象物を打撃する。しかし、本発明によれば、回転ドラム５６の両側にビートロッド本体が直接に形成されるようにした状態で電動モータ１６は正逆転が行われるようにして、その電動モータ１６の正逆転に連動する回転ドラム５６の正逆転によって、その回転ドラム５６の両側に形成されたビートロッド本体が交代に掃除対象物を打撃する。
【００３１】
図１３は本発明の望ましい他の実施例による塵払い機能付き吸込ヘッドの要部構造を説明するための図面である。  
同図に示す通り、下ケース１２ｂに対応する下ケース８０の底部には一定間隔隔てて吸気及びビートロッド本体８６による掃除対象物を打撃するための多数の吸気打力長溝８２が形成される。  
また、下ケース８０の後方の両側に直立した側壁には垂直方向にビートロッド本体８６の回動を保持するための軸受８４ａが装着される軸受安着溝８４が形成される。
さらに、下ケース８０の所定位置にはビートロッド本体８６の昇降作用を支えるために一定長さで複数のビートロッド昇降案内ロッド８４ｂが一定間隔を保ちながら形成される。  
【００３２】
ビートロッド本体８６によれば、実施形態例によるビートモジュール６２、７０とは違って、その後端と前端が一体に形成され、その後端と前端との間に多数のビートロッド８６が分岐した形態に形成される。  
一方、ビートロッド本体８６は図５に示した個別的な構造または図１２に示した複数の先端が一体に形成され持ち上げられる構造への適用を可能にする。  
ビートロッド本体８６の後方の両側には下ケース８０の後方の両側に配置された軸受８４ａに収められる回転突起８８が形成され、そのビートロッド本体８６の後方の所定位置には下ケース８０の後方に形成されたビートロッド昇降案内ロッド８４ｂに対応する複数の案内ロッド装着具９０が形成されると共に、該当ビートロッド本体８６を弾性的に加圧する弾性バネ９８の下端が保持されるバネ保持突起９２が形成される。  
【００３３】
また、図面に示す通り、下ケース８０の後方の両側壁と後壁の上側には両側面に軸受安着溝８４を介して軸受８４ａの離脱を防止するための軸受保持片が形成され、その底面にはビートロッド本体８６上のバネ保持突起９２の間に弾性バネ９８が介在するカバー部材９６が結合される。  
下ケース８０の前方には電動モータ１００が設けられ、その電動モータ１００のモータ軸１００ａにはその電動モータ１００の回転力をビートロッド本体８６の弾性力で形成させるための回転ドラム１０２の軸受孔１０２ａが結合される。その回転ドラム１０２の両側にはビートロッド本体８６の先端９４を持ち上げるための回転翼の形状のビート爪１０２ｂが複数形成される。  
ここで、回転ドラム１０２については、ビートロッド本体８６の形態によって図５や図１１または図１２に示す形態で適用してもよい。
【００３４】
従って、本実施形態の塵払い機能付き吸込ヘッドが組み立てられた状態で電動モータ１００が回転作動すると、その軸１００ａに結合された回転ドラム１０２が連動して回転する。よって回転ドラム１０２のビート爪１０２ｂが回転しつつビートロッド本体８６の先端９４を持ち上げて弾性力が蓄積される。  
ビートロッド本体８６はその先端９４がビート爪１０２ｂから解除されれば、その蓄積された弾性力で下ケース８０の吸気打力長溝８２を介して掃除対象物としての寝具類やカーペットまたは衣類を叩打してダスト（及び／または汚れ、ダニなど）を払うようになる。  
前述したビートロッド本体８６の一連の塵払い作用過程において、回転ドラム１０２のビート爪１０２ｂによってビートロッド本体８６の先端９４が持ち上げられる場合、そのビートロッド本体８６の後方の両側に形成された回転突起８８は下ケース８０の後方の両側壁に設けられた軸受８４ａによって回動が保持される。  
【００３５】
また、ビートロッド本体８６はその先端９４が回転ドラム１０２のビート爪１０２ｂによって持ち上げられる状態から回転ドラム１０２のビート爪１０２ｂから離脱して、ビートロッド本体８６の弾性的な打撃を加える過程でカバー９６との間に介在する弾性バネ９８によって弾持される。  
従って、電動モータ１００に連動する回転ドラム１０２によってビートロッド本体８６が弾性バネ９８の支持下に反復的に掃除対象物を弾性的に打撃することによって、ダスト（及び／または汚れ、ダニなど）の掃除が可能になる。  
【００３６】
図１４は本発明の実施形態による塵払機能付き吸込ヘッドが着脱式で設けることのできる空掃除機の形態を示した図面である。  
すなわち、同図に示す通り、真空掃除機２００には真空吸込モータを含む掃除対象物の掃除のための構造が備えられている。その真空掃除機２００について本発明に係る塵払い機能付き吸込ヘッド（特に、図１の１２参照）を着脱式で適用すれば塵払い機能による掃除が可能になる。  
一方、図１５は本発明の実施形態にかかる塵払い機能付き吸込ヘッドが着脱式で設けられる真空掃除機の形態を示した図面である。  
真空掃除機３００は、言わば‘ハンディ型’であって、その真空掃除機の前方または前方の下側に本発明に係る塵払い機能付き吸込ヘッド（特に、図１の１２を参照）を着脱式で適用したり、一体型で適用すれば塵払い機能による掃除が可能になる。
【００３７】
さらに、本発明に係る塵払い機能付き吸込ヘッドは、電動モータを動作させない状態で真空掃除機２００または３００を作動させると、通常の吸込ヘッドと同じ吸入による掃除が可能になる。  
一方、本発明は前述した適用例に限定されず、発明の技術的要旨及び要点を離脱しない範囲内で多様な変更及び変形実施が可能であることは勿論である。  
すなわち、前述した実施形態で説明した塵払い機能付き吸込ヘッドにおいて電動モータの動力によってビートモジュールまたはビートロッド本体が掃除対象物を弾性的に打撃して掃除が行われる構造であればいずれの方式を適用しても構わない。  
また、ビートモジュールまたはビートロッド本体の先端が電動モータの動力によって持ち上げられて弾性力を得る構造については、そのビートモジュールまたはビートロッド本体の後端を持ち上げて弾性力を得る構造に変更してもよく、ビートモジュールまたはビートロッド本体の先端上側に電動モータの動力が伝達されて持ち上げられるようにしてもよい。
【００３８】
また、回転ドラムにはビートロッド本体の先端を持ち上げるためのビート爪が形成された構造であるが、その回転ドラムの両側にビートロッドを一体に形成し、電動モータの正逆転によってその回転ドラムが正逆転しつつ掃除対象物を弾性的に打撃するようにしてもよい。  
一方、回転ドラムの外周面には、例えば柔軟性材質（合成樹脂）または繊維素材の打撃ロープまたは弾性バネの弾性を用いる打撃部材を形成して、その回転ドラムの回転に連動して３６０°回転しつつ掃除対象物を打撃するようにしてもよい。  
そして、本発明に係る吸込ヘッドの前端や後端または底面に紫外線殺菌ランプが組み立てられた殺菌ユニットをプラグによる着脱式で適用したり、一体式で適用すればさらに有利になる。  
【産業上の利用可能性】
【００３９】
本発明は掃除対象物に弾性的な打力を加えて、その掃除対象物に入り込んだダストを払いのける機能を備えた塵払い機能付き吸込ヘッドに適用可能である。
【符号の説明】
【００４０】
１０  吸込ヘッド
１２  筐体
１２ａ  上ケース
１２ｂ  下ケース
１４  連結管
１６  スイッチ素子
１６ａ  電源オン表示素子
１８  プラグ接続ジャッキ
２０  ＡＣ／ＤＣ変換器、電源アダプタ
２２  電源プラグ
２２ａ  プラグ端子
２４ｂ  螺子締結リブ２４ｂ
２４ａ  螺子
２４  螺子締結孔
２６  輪露出口
２８  輪
２８ａ  両軸
３２  輪回動受け具
３２ａ  軸受固定ねじ孔
３４  軸受安着半球
３６  回動軸受
３８  輪軸受固定具
３８ａ  ねじ締結孔
４０  締結ねじ
４２  回転ドラムブラケット
４６  ビートロッド固定ブラケット
５０  ビートロッド長孔
５４  回転ドラム軸受
５６  回転ドラム
５６ａ  、５６ｂ  両軸
５８  従動ギア
６０  ビート爪  
６２  ビートモジュール
６２ａ  ビートロッド本体
６２ｂ  先端
６２ｄ  先端
６４ａ  モータ軸
６６  モータ固定ブラケット
６６ａ  固定リブ
６９  駆動ギア
７０、８６ビートロッド本体
８０  下ケース
８２  吸気打力長溝
８４  軸受安着溝
８４ａ  軸受
８４ｂ  ビートロッド昇降案内ロッド
８８  回転突起
９０  案内ロッド装着具
９２  バネ保持突起
９６カバー部材
９８  弾性バネ
１００  電動モータ
１００ａ  モータ軸
１０２  回転ドラム
１０２ａ  軸受孔
１０２ｂ  ビート爪
２００、３００  真空掃除機
【図１】
2010527684.tif 000003
【図２】
2010527684.tif 000004
【図３】
2010527684.tif 000005
【図４】
2010527684.tif 000006
【図５】
2010527684.tif 000007
【図６】
2010527684.tif 000008
【図７】
2010527684.tif 000009
【図８】
2010527684.tif 000010
【図９】
2010527684.tif 000011
【図１０】
2010527684.tif 000012
【図１１】
2010527684.tif 000013
【図１２】
2010527684.tif 000014
【図１３】
2010527684.tif 000015
【図１４】
2010527684.tif 000016
【図１５】
2010527684.tif 000017
【国際調査報告】
2010527684.tif 000018
2010527684.tif 000019